(57)【要約】【課題】画像データの送信完了の確認を容易化しつつ、処理速度の低下防止を図る。【解決手段】本発明の読取装置は、シートを読み取る読取手段と、前記読取手段へシートを給送する給送手段と、前記読取手段により読み取られたシートを排出する排出手段と、前記読取手段が読み取った画像データを送信する送信手段と、第一の排出動作と第二の排出動作のいずれか一方を前記読取装置の状態に応じて選択的に前記排出手段に実行させる制御手段と、を備え、前記第一の排出動作とは、前記送信手段による前記画像データの送信完了を待たずにシートの排出を完了する動作であり、前記第二の排出動作とは、前記送信手段による前記画像データの送信完了を待ってシートの排出を完了する動作である、ことを特徴とする。【選択図】図３
2017063377.tif 000002
【特許請求の範囲】
【請求項１】
読取装置であって、
シートを読み取る読取手段と、
前記読取手段へシートを給送する給送手段と、
前記読取手段により読み取られたシートを排出する排出手段と、
前記読取手段が読み取った画像データを送信する送信手段と、
第一の排出動作と第二の排出動作のいずれか一方を前記読取装置の状態に応じて選択的に前記排出手段に実行させる制御手段と、を備え、
前記第一の排出動作とは、前記送信手段による前記画像データの送信完了を待たずにシートの排出を完了する動作であり、
前記第二の排出動作とは、前記送信手段による前記画像データの送信完了を待ってシートの排出を完了する動作である、
ことを特徴とする読取装置。
【請求項２】
請求項１に記載の読取装置であって、
前記第二の排出動作とは、前記送信手段による前記画像データの送信完了まではシートを途中まで排出して待機し、送信完了後にシートの排出を再開して完了する動作である、
ことを特徴とする読取装置。
【請求項３】
請求項１又は請求項２に記載の読取装置であって、
前記制御手段は、
第一の状態では前記第一の排出動作を前記排出手段に実行させ、
第二の状態では前記第二の排出動作を前記排出手段に実行させ、
前記第二の状態とは前記第一の状態よりも障害が発生し易い状態である、
ことを特徴とする読取装置。
【請求項４】
請求項１又は請求項２に記載の読取装置であって、
内蔵バッテリの残量を検知する残量検知手段を更に備え、
前記制御手段は、前記残量検知手段が検知した残量が閾値以下の場合に、前記排出手段に前記第二の排出動作を実行させる、
ことを特徴とする読取装置。
【請求項５】
請求項４に記載の読取装置であって、
外部電源に接続されているか否かを検知する接続検知手段を更に備え、
前記制御手段は、前記接続検知手段により外部電源への接続が検知されている場合は、前記残量検知手段の検知結果に関わらず、前記排出手段に前記第一の排出動作を実行させる、
ことを特徴とする読取装置。
【請求項６】
請求項１又は請求項２に記載の読取装置であって、
前記送信手段は、
有線で画像データを送信する有線送信手段と、
無線で画像データを送信する無線送信手段と、を備え、
前記制御手段は、
前記有線送信手段により画像データを送信する場合に、前記排出手段に前記第一の排出動作を実行させ、
前記無線送信手段により画像データを送信する場合に、前記排出手段に前記第二の排出動作を実行させる、
ことを特徴とする読取装置。
【請求項７】
請求項１又は請求項２に記載の読取装置であって、
内蔵バッテリの残量を検知する残量検知手段を更に備え、
前記制御手段は、先行シートに関する前記送信手段による前記画像データの送信完了及び前記排出手段による排出完了を待たずに、後続シートの給送を前記給送手段に開始させる先読み制御を実行可能であり、
前記制御手段は、前記残量検知手段が検知した残量が閾値以下の場合は、前記先読み制御を実行しない、
ことを特徴とする読取装置。
【請求項８】
請求項７に記載の読取装置であって、
外部電源に接続されているか否かを検知する接続検知手段を更に備え、
前記制御手段は、前記接続検知手段により外部電源への接続が検知されている場合は、前記残量検知手段の検知結果に関わらず、前記先読み制御を実行可能である、
ことを特徴とする読取装置。
【請求項９】
読取装置の制御方法であって、
前記読取装置は、
シートを読み取る読取手段と、
前記読取手段へシートを給送する給送手段と、
前記読取手段により読み取られたシートを排出する排出手段と、
前記読取手段が読み取った画像データを送信する送信手段と、を備え、
前記制御方法は、
第一の排出動作と第二の排出動作のいずれか一方を前記読取装置の状態に応じて選択する工程と、
選択した排出動作を前記排出手段に実行させる工程と、を備え、
前記第一の排出動作とは、前記送信手段による前記画像データの送信完了を待たずにシートの排出を完了する動作であり、
前記第二の排出動作とは、前記送信手段による前記画像データの送信完了を待ってシートの排出を完了する動作である、
ことを特徴とする制御方法。
【発明の詳細な説明】
【技術分野】
【０００１】
本発明は読取装置に関する。
【背景技術】
【０００２】
スキャナやファクシミリに代表される読取装置においては、読み取り対象の原稿が搬送路を搬送され、センサによって原稿の画像が読み取られる。読取装置は、読み取った画像の画像データをＰＣ（パソコン）等の外部装置に転送する機能を有している。画像データの転送は有線又は無線の通信により行うことができ、ＬＡＮや電話線などのネットワークを通して送信することも可能である。
【０００３】
何らかの障害が発生して読取装置の処理が中断した場合、原稿の再度の読み取りが必要となる場合がある。複数枚の原稿を連続的に読取装置に読み取らせている途中で障害が発生した場合、操作者はどの原稿まで画像データの転送が完了し、どの原稿から読み取りを再開すればよいかを調べる手間が生じ得る。
【０００４】
特許文献１には、画像データの転送後に送信済を示すスタンプを原稿に押印し、押印後に原稿を排紙するファクシミリが開示されている。操作者はスタンプの有無により画像データの転送に成功したか否かを判断することができる。
【先行技術文献】
【特許文献】
【０００５】
【特許文献１】特許第２５０２６０３号公報
【発明の概要】
【発明が解決しようとする課題】
【０００６】
特許文献１のファクシミリでは、画像データの転送完了を待って原稿を排紙するため、画像データの転送時間の影響によって、給紙から排紙までの処理速度が遅くなる場合がある。
【０００７】
本発明は、画像データの送信完了の確認を容易化しつつ、処理速度の低下防止を図るものである。
【課題を解決するための手段】
【０００８】
本発明によれば、例えば、読取装置であって、シートを読み取る読取手段と、前記読取手段へシートを給送する給送手段と、前記読取手段により読み取られたシートを排出する排出手段と、前記読取手段が読み取った画像データを送信する送信手段と、第一の排出動作と第二の排出動作のいずれか一方を前記読取装置の状態に応じて選択的に前記排出手段に実行させる制御手段と、を備え、前記第一の排出動作とは、前記送信手段による前記画像データの送信完了を待たずにシートの排出を完了する動作であり、前記第二の排出動作とは、前記送信手段による前記画像データの送信完了を待ってシートの排出を完了する動作である、ことを特徴とする読取装置が提供される。
【発明の効果】
【０００９】
本発明によれば、画像データの送信完了の確認を容易化しつつ、処理速度の低下防止を図ることができる。
【図面の簡単な説明】
【００１０】
【図１】本発明の一実施形態に係る読取装置の概略図。
【図２】図１の読取装置の制御部のブロック図。
【図３】制御部の処理例を示すフローチャート。
【図４】制御部の別の処理例を示すフローチャート。
【発明を実施するための形態】
【００１１】
図１は本発明の一実施形態に係る読取装置１の概略図である。読取装置１は、給送ユニット２と、読取ユニット３と、排出ユニット４とを備える。
【００１２】
給送ユニット２はトレイ２ａと、給送ローラ２ｂと、分離ローラ２ｃ、センサ２ｄとを備える。トレイ２ａには、画像を読み取る対象となるシート７が積載される。センサ２ｄはトレイ２ａ上のシート７を検知するセンサであり、例えば光センサである。
【００１３】
シート７は、例えば、紙、プラスチックといった各種の材料から構成される。読取装置１内にはシート７が搬送される搬送路８が形成されており、トレイ２ａは搬送路８にシート７を供給するように傾斜して配設されている。
【００１４】
なお、以下の説明において、上流側、下流側とはシート７の搬送方向（給送ユニット２→排出ユニット４）を基準とする。また、シート７の先端、後端とはシート７の搬送方向で下流側の端部、上流側の端部をそれぞれ指す。
【００１５】
給送ローラ２ｂは回転駆動されてトレイ２ａ上のシート７のうち、最下部のシート７を読取ユニット３へ搬送する。分離ローラ２ｃは給送ローラ２ｂと反対方向に回転駆動されて複数のシート７が同時に搬送されることを防止する。このような給送ユニット２により、シート７が一枚ずつ読取ユニット３に給送される。
【００１６】
読取ユニット３は搬送路８の途中に配設されており、シート７を読み取る。本実施形態の場合、読取ユニット３は、搬送路８を挟んで配置されたセンサ３ａとセンサ３ｂとを備える。センサ３ａはシート７の一方の面に対向するように配置され、シート７の一方の面を読み取るセンサである。センサ３ｂはシート７の他方の面に対向するように配置され、シート７の他方の面を読み取るセンサである。このような構成により、本実施形態ではシート７の両面を同時に読み取ることが可能な構成となっている。しかし、シート７の片面を読み取る構成とすることも可能である。
【００１７】
排出ユニット４は一対の排出ローラ４ａ、４ｂと、トレイ４ｃとを備える。一対の排出ローラ４ａ、４ｂのうちの一方は回転駆動される駆動ローラであり、他方は駆動ローラと圧接して回転する従動ローラである。シート７は一対の排出ローラ４ａ、４ｂのニップ部に挟持されつつ、トレイ４ｃへ搬送される。本実施形態の場合、シート７の排出は、シート７の後端が一対の排出ローラ４ａ、４ｂのニップ部を抜け出ることで完了する。
【００１８】
読取ユニット３の上流側で給送ユニット２の下流側にはセンサ５が設けられている。また、読取ユニット３の下流側で排出ユニット４の下流側にはセンサ６が設けられている。センサ５及びセンサ６は搬送路８を搬送されるシート７を検知するセンサであり、例えば、光センサである。センサ５及びセンサ６の検知結果は、例えば、読取ユニット３による読取開始、読取終了のタイミングを決定するために用いることができる。
【００１９】
次に、図２を参照して読取装置１の制御系の構成について説明する。図２は読取装置１の制御部１０のブロック図である。制御部１０はＣＰＵ１１、記憶部１２、操作部１３、通信部１４及びインタフェース部１５を備える。ＣＰＵ１１は記憶部１２に記憶されたプログラムを実行することにより、読取装置１全体の制御を行う。記憶部１２は例えばＲＡＭ、ＲＯＭ等から構成される。操作部１３は、例えば、スイッチやタッチパネル等で構成され、操作者からの操作を受け付ける。
【００２０】
通信部１４は、外部装置との情報通信を行うインタフェースである。外部装置としてＰＣ（パソコン）を想定した場合、通信部１４としては、例えば、ＵＳＢインターフェースやＳＣＳＩインターフェースを挙げることができる。また、このような有線通信のインタフェースの他、通信部１４は無線通信のインタフェースとしてもよく、有線通信、無線通信の双方のインタフェースを備えていてもよい。
【００２１】
インタフェース部１５はセンサ１６やアクチュエータ１６ｂとのデータの入出力を行うＩ／Ｏインタフェースである。センサ１６には、例えば、上述したセンサ２ｄ、センサ３ａ、センサ３ｂ、センサ５及びセンサ６が含まれる。アクチュエータ１６ｂには、例えば、給送ローラ２ｂを駆動するモータ、一対の搬送ローラ４ａ、４ｂの駆動ローラを駆動するモータが含まれる。なお、給送ローラ２ｂと一対の搬送ローラ４ａ、４ｂの駆動ローラの駆動源を単一モータとし、駆動伝達を切り替えるアクチュエータを設けることで、それぞれ独立して駆動可能としてもよい。
【００２２】
電源部１７は、読取装置１に必要な電力を供給すると共にＣＰＵ１１に対して所定の情報を送信する。電源部１７には、読取装置１に内蔵される内蔵バッテリ１８が接続されている。バッテリ１８は例えば二次電池であるが一次電池でもよい。また、電源部１７には接続部１９を介して外部電源２０が接続可能となっている。外部電源２０は例えばＡＣアダプタであり、接続部１９に着脱自在に接続される。
【００２３】
電源部１７は外部電源２０が接続されている場合は、外部電源２０からの電力を読取装置１の駆動に用い、また、バッテリ１８が二次電池の場合、その充電をすることができる。電源部１７は外部電源２０が接続されていない場合は、バッテリ１８の電力を読取装置１の駆動に用いる。電源部１７は外部電源２０の接続検知をしてその検知結果をＣＰＵ１１へ出力する。また、電源部１７はバッテリ１８の残量検知をしてその検知結果をＣＰＵ１１へ出力する。
【００２４】
＜制御例＞
制御部１０の制御例について説明する。一例として通信部１４を介してＰＣ（パソコン）に接続され、読み取ったシート７の画像をＰＣに転送する場合を想定する。
【００２５】
操作者はトレイ２ａに読み取り対象となるシート７を積載する。そしてＰＣから読取開始を指示する。制御部１０は給送ユニット２を駆動してシート７を一枚ずつ装置内へ搬送する。シート７の先端がセンサ５で検知されると、所定量の搬送後にセンサ３ａ、３ｂの読み取りを開始する。また、排出ユニット４の駆動を開始する。
【００２６】
読み取った画像データは記憶部１２に記憶することができる。記憶部１２における画像データの記憶容量によっては複数枚のシート７の画像データを記憶することもできる。記憶部１２に記憶された画像データは通信部１４を介してＰＣに送信される。
【００２７】
一対の排出ローラ４ａ、４ｂにシート７の先端が到達すると、一対の排出ローラ４ａ、４ｂによってシート７がトレイ４ｃへ搬送される。シート７の後端がセンサ６で検知されると所定量の搬送後にセンサ３ａ、３ｂの読み取りを終了する。また、所定量の搬送により、シート７の装置外（トレイ４ｃ）への排出が完了する。
【００２８】
複数のシート７を連続的に読み取る場合、前記制御手段は、先行するシート７（先行シート７ともいう）に関する画像データの送信完了及び排出完了を待たずに、後続するシート７（後続シート７ともいう）の給送を開始させる制御も実行可能である。このような制御を先読み制御と呼ぶことにする。先読み制御により、１枚目のシート７の給紙開始から最終頁のシート７の排出完了までの時間を短縮できる。
【００２９】
＜画像データの送信と排出完了＞
本実施形態の場合、第一の排出動作と第二の排出動作のいずれか一方を読取装置１の状態に応じて選択的に排出ユニット４に実行させる。第一の排出動作とは、読み取ったシート７の画像データの送信完了を待たずに、そのシート７の排出を完了する動作であり、第二の排出動作とは、読み取ったシート７の画像データの送信完了を待って、そのシート７の排出を完了する動作である。
【００３０】
第二の排出動作の場合、排出が完了しているシート７については画像データの送信が完了していることになる。逆に言えば、画像データの送信が完了していない場合、シート７は排出が完了していない。したがって、操作者において、画像データの送信完了の確認を容易化することができる。
【００３１】
一方、第一の排出動作は、排出が完了しているシート７について、画像データの送信が完了しているとは限らない。しかし、第二の排出動作よりも後続シート７の給送タイミングを早めることができ、処理速度の低下を防止できる。
【００３２】
これらの排出動作を読取装置１の状態に応じて選択的に実行可能とすることで、画像データの送信完了の確認を容易化しつつ、処理速度の低下防止を図ることができる。選択方法としては、相対的に障害が発生し易い状態では第二の排出動作を選択し、相対的に障害が発生し難い状態では第一の排出動作を選択する。その理由は以下の通りである。
【００３３】
読み取った画像データをＰＣに転送する際に、何らかの障害により画像データの転送に失敗することがある。例えば、電源ケーブルが抜けて電力が遮断されてしまった場合や、通信ケーブルが抜けて通信不能となったり、ＰＣ側に障害が発生した場合等である。更に、読取装置１では可搬性を考慮してバッテリ１８での駆動を可能としている。バッテリ１８で動作させた場合、画像データ転送中にバッテリ１８からの電力供給量が低下して、画像データの転送が停止、あるいは不安定になることがある。
【００３４】
このような場合、操作者としては、どのシート７について障害が発生し、どのシート７から読み取りを再開すればよいかが分り難くい場合がある。例えば第一の排出動作のみで動作させた場合、以下のような状況が考えられる。
【００３５】
第一に、画像読取に失敗し、画像データも転送できなかった状況。この場合、読み取りに失敗したシート７は搬送路８の内部に滞留している。第二に、画像読取に成功したが、画像データの転送に失敗した状況。この場合、失敗したシート７はトレイ４ａに排出されていて、次のシート７が搬送路８の内部に滞留している。第三に、画像読取と画像データ転送に成功し、次のシート７の給送に失敗した状況。この場合、失敗したシート７は給送ユニット２あるいは搬送路８にある。
【００３６】
障害発生後、操作者は、ＰＣへの転送および保存の完了した画像データを確認して、どのシート７から読み取りを再開すべきか調べる必要があるが、上記の事例のようにシート７の排出状態を確認するだけでは障害の態様を特定できない場合がある。とりわけ、先読み制御を行った場合、搬送路８に複数のシート７が滞留している状況や、排出済みのシート７のどこまでが画像データの転送が終わったか分からない状況が発生し、判断は複雑になる。
【００３７】
第二の排出動作では、画像データの送信完了の確認が容易であるため、障害発生時には第二の排出動作が実行されていることが有利である。ただし、第二の排出動作のみで動作させると、処理速度が低下する。そこで、本実施形態では、障害発生の蓋然性が相対的に高い場合に第二の排出動作を実行し、相対的に低い場合は第一の排出動作を実行することで、画像データの送信完了の確認を容易化しつつ、処理速度の低下防止を図ることができる。
【００３８】
また、本実施形態では、第二の排出動作においては、画像データの送信完了まではシート７を途中まで排出して待機する。このときのシート７の位置を待機位置と呼ぶ場合がある。そして、送信完了後にシート７の排出を再開して完了する。これにより、送信完了まではシート７が一対の排出ローラ４ａ、４ｂに挟持された状態で排出が停止する。何らかの障害で送信完了に至らなかった場合、シート７は一対の排出ローラ４ａ、４ｂに保持されたままとなるので、操作者はこのシート７は画像データの送信が完了せず、再度の読み取りが必要であることを認識することができることになる。シート７の待機位置は、例えば、図１に示すように、少なくとも一部がトレイ４ｃ上に露出した状態とする。シート７の待機位置は例えばセンサ６でシート７の後端が検知されてからのシート７の搬送量によって調整することができる。操作者は露出している部分を摘まんでシート７を引き出すことができる。これにより、読取装置１の内部を開放しなくても、再度の読み込みが必要なシート７を取り出すことができる。
【００３９】
＜排出動作の選択例１＞
排出ユニット４の排出動作の選択例について説明する。ここでは、外部電源２０が接続されておらず、バッテリ１８で読取装置１を駆動中である場合に、バッテリ１８の残量を基準として排出動作を切り替える例を説明する。バッテリ１８の残量がなくなった場合、読取装置１は電力不足で動作が停止してしまう。そこで、電源部１７が検知したバッテリ１８の残量が切替閾値以下の場合に第二の排出動作を実行させ、切替閾値を超える場合は第一の排出動作を実行させる。なお、電源部１７により外部電源２０の接続が検知されている場合は第一の排出動作を選択することができる。外部電源２０が接続されている場合は、通常、電力不足となることがないからである。
【００４０】
切替閾値は、例えば、バッテリ１８の最大容量の１０％とすることができる。切替閾値は、例えば、切替閾値の残量があった場合に、記憶部１２に記憶している画像データを転送可能か否かを基準として決めることができる。この場合、切替閾値は、例えば、記憶部１２の記憶容量、バッテリ１８の最大容量、画像データのデータ容量、データ転送に必要な電力、などにより調整することができる。
【００４１】
図３はバッテリ１８の残量を基準として排出動作を切り替える処理例を示すフローチャートである。
【００４２】
本例の場合、第二の排出動作を実行する場合は先読み制御を実行しない。これにより、電力不足に陥ってもシート７全部が装置内に滞留する可能性が小さくなる。
【００４３】
また、本例の場合、バッテリ１８の残量が停止閾値以下の場合には読取動作を停止する。これにより電力不足による障害の発生を抑制できる。画像データ転送後およびシート７の排出完了後に、バッテリ１８の残量が停止閾値以下になったと判断した場合、次のシート７を給送せずに一連の画像読取動作を中断することができる。また、画像の読み取り中にバッテリ１８の残量が停止閾値以下になったと判断した場合、読取ユニット３は停止する一方、排出ユニット４は駆動して、シート７を途中まで排出して一連の画像読取動作を中断することができる。このときのシート７の位置を中断位置と呼ぶ場合がある。
【００４４】
これにより、操作者は、一対の排出ローラ４ａ、４ｂに挟持されているシート７は画像データが転送されていないシート７であると認識でき、読み取りを再開すべきシート７であると容易に認識できる。シート７の中断位置は例えばセンサ６でシート７の後端が検知されてからのシート７の搬送量によって調整することができる。中断位置は待機位置と同じとしてもよい。中断位置及び待機位置は、操作者によるシート７の引き出しを容易にするため、一対の排出ローラ４ａ、４ｂのみでシート７が挟持される位置とすることができる。
【００４５】
バッテリ１８の残量が停止閾値以下になったと判断した場合、操作者にバッテリ残量の低下により動作を停止していることを報知してもよい。報知は例えばＰＣ上で行うことができ、バッテリ残量の低下を警告するものとすることができる。
【００４６】
停止閾値は切替閾値よりも小さい値とし、例えば、５％とする。停止閾値はシート７を途中まで排出可能な電力が確保されるように設定することができる。この場合、停止閾値は、バッテリ１８の最大容量と、シート７を途中まで排出するために必要な電力、などにより調整が必要である。
【００４７】
図３において、Ｓ１で読取処理を開始する。Ｓ２ではセンサ２ｄの検知結果に基づいてトレイ２ａにシート７があるか否かを判定する。シート７が無い場合はＳ３へ進んで処理を終了する。シート７がある場合はＳ４へ進む。
【００４８】
Ｓ４では電源部１７の検知結果に基づいてバッテリ１８の残量が停止閾値（５％）以上であるか否かを判断する。バッテリ１８の残量が停止閾値未満の場合は、Ｓ５へ進みバッテリ残量の低下を警告し、Ｓ３へ進んで処理を終了する。バッテリ１８の残量が停止閾値以上の場合は、Ｓ６へ進む。
【００４９】
Ｓ６では給送ユニット２を駆動させてシート７の給送を開始する。センサ５の検知結果に基づいてＳ７へ進み、読取ユニット３によりシート７の画像の読み取りを開始する。Ｓ８では画像読取で生成された画像データの通信部１４による送信（ここではＰＣへの転送）を開始する。また、排出ユニット７を駆動してシート７の排出を開始する。
【００５０】
画像読取、画像データ転送、シート排出の動作の途中においても、Ｓ９で電源部１７の検知結果に基づいてバッテリ１８の残量が停止閾値（５％）以上であるか否かを判断する。バッテリ１８の残量が停止閾値未満の場合は、Ｓ１０へ進み、読取ユニット３による画像の読み取りを中断する。続くＳ１１でシート７を中断位置まで搬送し、一対の排出ローラ４ａ、４ｂで保持させた状態とする。その後、Ｓ５へ進みバッテリ残量の低下を警告し、Ｓ３へ進んで処理を終了する。
【００５１】
Ｓ９でバッテリ１８の残量が停止閾値以上であると判断した場合、Ｓ１２へ進み、バッテリ１８の残量が切替閾値（１０％）以上であるか否かを判断する。バッテリ１８の残量が切替閾値未満である場合、第二の排出動作を選択する。すなわち、Ｓ１３へ進み、シート７を待機位置まで搬送し、一対の排出ローラ４ａ、４ｂで保持させた状態とする。Ｓ１４で画像データの転送が完了すると、Ｓ１５へ進み、一対の排出ローラ４ａ、４ｂを駆動してシート７の排出を完了する。先読み制御は実行せず、シート７の排出完了によりＳ１へ戻ることになる。
【００５２】
バッテリ１８の残量が切替閾値以上である場合、第一の排出動作を選択する。すなわち、Ｓ１６へ進み、画像データの転送及びシート７の排出を継続し、画像データの転送が完了しなくてもシート７の排出を完了することができる。また、先読み制御を実行し、後続シート７の給送が可能な状態であれば、画像データの転送完了及びシート７の排出完了を待たずにＳ１へ戻って後続シート７の読み取りを開始し、同様の処理を繰り返すことになる。後続シート７の給送が可能な状態とは、例えば、記憶部１２に画像データを記憶する空きの容量が残っており、先行シート７の位置が所定位置を通過している場合である。
【００５３】
なお、バッテリ１８の残量が少なくなっても、外部電源２０が接続されれば、画像データ転送中でシート７の排出中であっても、次のシート７が給送可能な状態であれば、続けて次のシート７の読み込みを開始できる。外部電源２０が接続されていても、バッテリ１８の充電中でスキャンに回せる電力が足りない場合は、バッテリ１８の残量が少なくなった場合と同様の制御を行うことも可能である。
【００５４】
＜排出動作の選択例２＞
排出ユニット４の排出動作の別の選択例について説明する。ここでは、通信部１４が有線通信用の回路と、無線通信用の回路とを備えており、画像データの転送にあたって、通信方式（有線送信、無線送信）により排出動作を切り替える。
【００５５】
図４は通信方式を基準として排出動作を切り替える処理例を示すフローチャートである。Ｓ２１で読取処理を開始する。Ｓ２２ではセンサ２ｄの検知結果に基づいてトレイ２ａにシート７があるか否かを判定する。シート７が無い場合はＳ２３へ進んで処理を終了する。シート７がある場合はＳ２４へ進む。
【００５６】
Ｓ２４では給送ユニット２を駆動させてシート７の給送を開始する。センサ５の検知結果に基づいてＳ２５へ進み、読取ユニット３によりシート７の画像の読み取りを開始する。Ｓ２６では画像読取で生成された画像データの通信部１４による送信（ここではＰＣへの転送）を開始する。また、排出ユニット７を駆動してシート７の排出を開始する。
【００５７】
Ｓ２７では通信部１４が有線通信中か否かを判定する。無線通信中の場合は第二の排出動作を選択する。すなわち、Ｓ２８へ進み、シート７を待機位置まで搬送し、一対の排出ローラ４ａ、４ｂで保持させた状態とする。Ｓ２９で画像データの転送が完了すると、Ｓ３０へ進み、一対の排出ローラ４ａ、４ｂを駆動してシート７の排出を完了する。先読み制御は実行せず、シート７の排出完了によりＳ２１へ戻ることになる。
【００５８】
通信部１４が有線通信中である場合、第一の排出動作を選択する。すなわち、Ｓ３１へ進み、画像データの転送及びシート７の排出を継続し、画像データの転送が完了しなくてもシート７の排出を完了することができる。また、先読み制御を実行し、後続シート７の給送が可能な状態であれば、画像データの転送完了及びシート７の排出完了を待たずにＳ２１へ戻って後続シート７の読み取りを開始し、同様の処理を繰り返すことになる。後続シート７の給送が可能な状態とは、例えば、記憶部１２に画像データを記憶する空きの容量が残っており、先行シート７の位置が所定位置を通過している場合である。
【００５９】
このように本例では、画像データを無線で転送している場合には、先読み制御を無効にして、画像データの転送が終わるまでシート７の排出を完了しない。これは、有線通信よりも無線通信の方が、通信状態が悪くなったり、接続が断絶される可能性が高いことを考慮したものである。この制御により、操作者は無線接続が断絶してスキャンが止まった時、一対の排出ローラ４ａ、４ｂに保持されたシート７から読み取りを再開すればよいことになる。
【００６０】
＜他の例＞
上記の例では、排出動作の選択の基準としてバッテリ１８の残量と通信方式を例示したが、これに限られるわけではない。また、排出動作の選択の基準は複数あってもよい。例えば、選択例１と選択例２とを組み合わせて排出動作を選択してもよい。
【符号の説明】
【００６１】
１  読取装置、２  給送ユニット、３  読取ユニット、４  排出ユニット、１０  制御部
【図１】
2017063377.tif 000003
【図２】
2017063377.tif 000004
【図３】
2017063377.tif 000005
【図４】
2017063377.tif 000006